(57)【要約】      （修正有）【課題】機器の調整をすることなく、簡易な構成で、多種類の景品を景品収納部内に配置する景品獲得装置を提供する。【解決手段】景品収納部内で移動自在に吊り下げ支持され、先端に環形状又はフック形状の第１のリングを有する景品取得部と、景品収納部内に設けられ、貫通穴２ａ〜２ｆが空けられた景品台２と、貫通穴２ａ〜２ｆに挿入される貫通棒３ａの一方の端部に、リングと係止するための係止部３ｂが固定された係止ピン３と、該係止ピン３の貫通棒３ａが貫通穴２ａ〜２ｆから脱離されると落下するように、該係止ピン３の貫通棒３ａが貫通穴２ａ〜２ｆに挿入された状態で保持された景品６とを備える。【選択図】図３
0003163757.tif 000002
【実用新案登録請求の範囲】
【請求項１】
三方を透明板で囲まれた景品収納部内の景品を、景品排出口から前記景品収納部外へ排出する景品獲得装置であって、
前記景品収納部内で移動自在に吊り下げ支持され、先端に環形状又はフック形状の第１の係止手段を有する景品取得部と、
前記景品収納部内に設けられ、貫通穴が空けられた景品台と、
前記貫通穴に挿入される貫通棒の一方の端部に、前記第１の係止手段と係止するための第２の係止手段が固定された係止ピンと、
前記係止ピンの貫通棒が前記貫通穴から脱離されると、前記景品排出口へ落下するように、前記係止ピンの貫通棒が前記貫通穴に挿入された状態で保持された景品と、
を備えたことを特徴とする景品獲得装置。
【請求項２】
前記係止ピンの貫通棒が前記貫通穴から脱離されると、前記第１の係止手段と前記第２の係止手段との係止が外れるように、前記景品台に対して前記貫通棒を傾かせる傾倒手段を、
更に備えたことを特徴とする請求項１記載の景品獲得装置。
【請求項３】
前記傾倒手段は、
前記係止ピンに一方の端部が固定された固定ピンと、
前記固定ピンの他方の端部と前記景品台とを接続する伸縮自在な伸縮部材と、
を備えたことを特徴とする請求項２記載の景品獲得装置。
【請求項４】
前記傾倒手段は、
前記係止ピンに一方の端部が固定され、他方の端部に錘が固定された荷重ピン
を備えたことを特徴とする請求項２記載の景品獲得装置。
【請求項５】
一方の端部が前記景品台に固定され、他方の端部が前記係止ピン、前記荷重ピン又は前記錘に固定された長尺状の紐状部材
を更に備えたことを特徴とする請求項４記載の景品獲得装置。
【請求項６】
前記係止ピンは、
前記第２の係止手段がフック形状を有しており、前記フック形状の開口部の大きさを調整できるように、前記貫通棒にスライド自在に取り付けられた調整部材を有する
ことを特徴とする請求項１〜５のいずれか１項記載の景品獲得装置。
【請求項７】
前記景品台は、
一方の端部の近傍に前記貫通穴が空けられ、他方の端部が前記景品排出口の上方に位置するように傾斜して設けられたレールを有し、
前記景品が載置された状態で前記係止ピンの貫通棒が前記貫通穴から脱離されると、前記レール上の前記一方の端部から前記他方の端部まで移動し、前記他方の端部に達したときに前記景品を前記景品排出口へ落下させる景品搬送手段を、
を更に備えたことを特徴とする請求項１〜６のいずれか１項記載の景品獲得装置。
【請求項８】
前記景品が載置され、前記景品収納部内で前記景品台と略同一高さになるように一辺が回動自在に取り付けられた景品載置台と、
一方の端部が前記景品載置台に固定されると共に、他方の端部にリングが取り付けられ、前記係止ピンの貫通棒が前記貫通穴に挿入された状態で前記リングが前記貫通棒に係止されることにより、前記景品載置台を略水平に保持する長尺状の景品載置紐と、
を更に備えたことを特徴とする請求項１〜６のいずれか１項記載の景品獲得装置。
【考案の詳細な説明】
【技術分野】
【０００１】
本考案は、遊技者の操作に基づいて、景品収納部内に配置された景品を景品排出口から排出する景品獲得装置に関する。
【背景技術】
【０００２】
昨今、ゲームセンター等の遊技施設には、景品獲得装置の１つとして、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより、景品収納部内底面のフロアパネル上に配置された景品に対してクレーン駆動機構を動作させて景品把持部が目標とする景品の真上に到着したと思われるとき操作釦の操作を停止させる。
【０００５】
その後、景品把持部は自動的に降下し、ケース底部に到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、近年では、一般的なクレーン遊技装置から、さらにゲーム性を高めるために、例えば、特許文献２及び特許文献３に示すように、景品を把持するのはなく、景品に付けた掛止孔に、掛け止めるフックを懸吊すると共に、景品落下口の上方においてフックから景品を外すように動作する景品獲得ゲーム機が提案されている。
【０００８】
さらに、特許文献４には、長尺状の紐状部材と、紐状部材の一端側に取り付けられたターゲット部材と、紐状部材の他端側に連結された物品を懸吊する懸吊部材と、ターゲット部材を下方に垂下させた状態で紐状部材を係止する係止部材とを備える第２物品懸吊部材において、紐状部材が下方に牽引されたときに物品を落下させる態様で懸吊部材を駆動する景品獲得ゲーム機が提案されている。
【先行技術文献】
【特許文献】
【０００９】
【特許文献１】特開２０００−８４２３６号公報
【特許文献２】特開２００３−２３６２３１号公報
【特許文献３】特開２００７−２７５４２７号公報
【特許文献４】特開２０１０−４２０５６号公報
【考案の概要】
【考案が解決しようとする課題】
【００１０】
しかしながら、特許文献１に記載のクレーン遊技装置のような景品獲得装置では、景品として玩具が内包された景品箱や人形等が用いられ、その種類により重量が異なる場合が多い。そのため、景品獲得ゲームの難易度を最適にするために、クレーン遊技装置を運営する運営者は、クレーン遊技装置に備えられた景品把持部の景品を把持する把持力を、景品の重量に応じた最適値に設定する必要がある。
【００１１】
そのため、クレーン遊技装置の景品収納部内に載置する景品の種類を変更する度に、運営者は、景品把持部の把持力を景品の重量に応じて変更する必要があり、この変更作業が非常に煩わしかった。また、クレーン遊技装置の景品収納部内に載置する景品を全て同一の重量のものとする必要があった。
【００１２】
また、特許文献２〜特許文献３に記載の技術では、重量の重い景品を吊り上げる際、大きい吊力が必要となるので、トルクが大きい駆動機構を備える必要があり、装置本体が大型化し、製造コストが高くなるという課題があった。
【００１３】
さらに、特許文献４に記載の技術では、長尺状の紐状部材と、紐状部材の一端側に取り付けられたターゲット部材と、紐状部材の他端側に連結された物品を懸吊する懸吊部材と、ターゲット部材を下方に垂下させた状態で紐状部材を係止する係止部材とを備える必要があるので、装置構造が複雑化し、製造コストが高くなるという課題があった。
【００１４】
本考案は、上記課題に鑑みてなされたものであり、景品把持部の把持力調整等、機器の調整を行うことなく、簡易な構成で、多種類の景品を景品収納部内に配置することができる景品獲得装置を提供することを目的とする。
【課題を解決するための手段】
【００１５】
上記目的を達成するため、本考案に係る景品獲得装置の第１の特徴は、三方を透明板で囲まれた景品収納部内の景品を、景品排出口から前記景品収納部外へ排出する景品獲得装置であって、前記景品収納部内で移動自在に吊り下げ支持され、先端に環形状又はフック形状の第１の係止手段を有する景品取得部と、前記景品収納部内に設けられ、貫通穴が空けられた景品台と、前記貫通穴に挿入される貫通棒の一方の端部に、前記第１の係止手段と係止するための第２の係止手段が固定された係止ピンと、前記係止ピンの貫通棒が前記貫通穴から脱離されると、前記景品排出口へ落下するように、前記係止ピンの貫通棒が前記貫通穴に挿入された状態で保持された景品と、を備えたことにある。
【００１６】
上記目的を達成するため、本考案に係る景品獲得装置の第２の特徴は、前記係止ピンの貫通棒が前記貫通穴から脱離されると、前記第１の係止手段と前記第２の係止手段との係止が外れるように、前記景品台に対して前記貫通棒を傾かせる傾倒手段を、更に備えたことにある。
【００１７】
上記目的を達成するため、本考案に係る景品獲得装置の第３の特徴は、前記傾倒手段は、前記係止ピンに一方の端部が固定された固定ピンと、前記固定ピンの他方の端部と前記景品台とを接続する伸縮自在な伸縮部材と、を備えたことにある。
【００１８】
上記目的を達成するため、本考案に係る景品獲得装置の第４の特徴は、前記傾倒手段は、前記係止ピンに一方の端部が固定され、他方の端部に錘が固定された荷重ピンを備えたことにある。
【００１９】
上記目的を達成するため、本考案に係る景品獲得装置の第５の特徴は、一方の端部が前記景品台に固定され、他方の端部が前記係止ピン、前記荷重ピン又は前記錘に固定された長尺状の紐状部材を更に備えたことにある。
【００２０】
上記目的を達成するため、本考案に係る景品獲得装置の第６の特徴は、前記係止ピンは、前記第２の係止手段がフック形状を有しており、前記フック形状の開口部の大きさを調整できるように、前記貫通棒にスライド自在に取り付けられた調整部材を有することにある。
【００２１】
上記目的を達成するため、本考案に係る景品獲得装置の第７の特徴は、前記景品台は、一方の端部の近傍に前記貫通穴が空けられ、他方の端部が前記景品排出口の上方に位置するように傾斜して設けられたレールを有し、前記景品が載置された状態で前記係止ピンの貫通棒が前記貫通穴から脱離されると、前記レール上の前記一方の端部から前記他方の端部まで移動し、前記他方の端部に達したときに前記景品を前記景品排出口へ落下させる景品搬送手段を、を更に備えたことにある。
【００２２】
上記目的を達成するため、本考案に係る景品獲得装置の第８の特徴は、前記景品が載置され、前記景品収納部内で前記景品台と略同一高さになるように一辺が回動自在に取り付けられた景品載置台と、一方の端部が前記景品載置台に固定されると共に、他方の端部にリングが取り付けられ、前記係止ピンの貫通棒が前記貫通穴に挿入された状態で前記リングが前記貫通棒に係止されることにより、前記景品載置台を略水平に保持する長尺状の景品載置紐と、を更に備えたことにある。
【考案の効果】
【００２３】
本考案に係る景品獲得装置によれば、機器の調整することなく、簡易な構成で、多種類の景品を景品収納部内に配置することができる。
【図面の簡単な説明】
【００２４】
【図１】本考案の実施例１である景品獲得装置の斜視図である。
【図２】本考案の実施例１である景品獲得装置に備えられた景品取得部の正面図である。
【図３】本考案の実施例１である景品獲得装置が備える景品配置部の斜視図である。
【図４】本考案の実施例１である景品獲得装置における待機状態から景品を獲得した後、再度待機状態まで移行する一連の動作の流れを模式的に説明した図である。
【図５】本考案の実施例２である景品獲得装置が備える景品配置部の斜視図である。
【図６】本考案の実施例２である景品獲得装置における待機状態から景品を獲得した後、再度待機状態まで移行する一連の動作の流れを模式的に説明した図である。
【図７】本考案の実施例３である景品獲得装置における待機状態から景品を獲得した後、再度待機状態まで移行する一連の動作の流れを模式的に説明した図である。
【図８】本考案の実施例４である景品獲得装置が備える景品配置部の側面図である。
【図９】本考案の実施例５である景品獲得装置が備える景品配置部の斜視図である。
【図１０】本考案の実施例５である景品獲得装置における待機状態から景品を獲得した後、再度待機状態まで移行する一連の動作の流れを模式的に説明した図である。
【図１１】本考案の実施例６である景品獲得装置における待機状態から景品を獲得した後、再度待機状態まで移行する一連の動作の流れを模式的に説明した図である。
【考案を実施するための形態】
【００２５】
以下、本考案を実施するための形態について図面を参照して説明する。
【実施例１】
【００２６】
本考案の実施例１では、景品を景品収納部内に吊り下げ配置し、遊技者の操作に基づいて、景品収納部内に配置された景品を景品排出口から排出する景品獲得装置を例に挙げて説明する。
【００２７】
＜景品獲得装置１００の構成＞
図１は、本考案の実施例１である景品獲得装置の斜視図である。
【００２８】
図１に示すように、景品獲得装置１００は、三方を透明板で囲まれた景品収納部１０１と、この景品収納部１０１内に設けられた景品取得部１１０，１１１と、この景品取得部１１０，１１１を景品収納部１０１内で所望位置に移動させるクレーン機構１０３と、景品収納部１０１内の底面に備えられたフロア部１０４とを備えている。
【００２９】
このフロア部１０４は、フロアパネルの組み替え式が採用されており、このフロアパネルを組み替えることで、任意の場所に景品排出口１０４ａ，１０４ｂを備えるようにすることができる。
【００３０】
そして、このフロア部１０４上に、景品配置部１が設けられており、この景品配置部１により、景品排出口１０４ａ，１０４ｂに、景品が吊り下げ配置されている。
【００３１】
景品収納部１０１の下方には、景品獲得装置１００内部の景品排出口１０４ａ，１０４ｂからそれぞれ連通する景品受取口１０５ａ，１０５ｂと、操作釦やコイン投入口等を有する操作部１０６とが設けられている。
【００３２】
クレーン機構１０３は、景品取得部１１０，１１１を吊り下げ支持すると共に、遊技者による操作部１０６の操作により、景品取得部１１０，１１１を景品収納部１０１内で前後、左右、及び上下の３方向に移動させる。
【００３３】
図２は、景品獲得装置１００に備えられた景品取得部１１０の正面図である。なお、景品取得部１１１は、景品取得部１１０と同一の構成を有するので、説明を省略する。
【００３４】
図２に示すように、景品取得部１１０は、キャッチャー１１０ａと、このキャッチャー１１０ａから吊り下げられた支持チェーン１１０ｂと、支持チェーン１１０ｂの端部に固定されたリング１１０ｃとを備えている。
【００３５】
景品取得部１１０は、後述するように、このリング１１０ｃを係止ピンに係止させた状態で、クレーン機構１０３の駆動によりＸ１方向へ上昇することにより、景品を景品排出口１０４ａに落下させる。
【００３６】
図３は、本考案の実施例１である景品獲得装置１００が備える景品配置部１の斜視図である。なお、景品獲得装置１００は、正面向かって左右対称の構成を有しており、フロア部１０４上には、左右対称にそれぞれ景品配置部１が設置されているので、ここでは、景品獲得装置１００の左側部分に設置された景品配置部１について説明する。
【００３７】
図３に示すように、本考案の実施例１である景品配置部１は、景品収納部１０１のフロア部１０４上に景品台２が固定されている。
【００３８】
この景品台２は、１枚の板状部材に貫通穴２ａ〜２ｆが設けられており、この貫通穴２ａ〜２ｆの一つである貫通穴２ｂには、係止ピン３が挿入されている。
【００３９】
係止ピン３は、貫通穴２ｂに挿入される貫通棒３ａと、貫通棒３ａの上端部に固定されたフック形状を有する係止部３ｂとを備えている。
【００４０】
そして、係止ピン３の貫通棒３ａには、固定ピン４が固定されている。
【００４１】
固定ピン４は、一方の端部が係止ピン３の貫通棒３ａに固定されており、他方の端部は、伸縮部材５の一方の端部と接続されている。
【００４２】
伸縮部材５は、例えば、バネやゴムやシリンダー等の伸縮する部材で構成されており、伸縮部材５の他方の端部は、景品台２に固定されている。
【００４３】
また、景品６は、景品本体６ａにリング６ｂが取り付けられており、このリング６ｂは、係止ピン３の貫通棒３ａが貫通穴２ｂに挿入された状態で係止されている。そして、係止ピン３の貫通棒３ａが貫通穴２ｂから脱離されると、景品６は景品排出口１０４ａに落下（景品獲得）する。
【００４４】
＜景品獲得装置１００の作用＞
次に、図４を用いて、本考案の実施例１である景品獲得装置１００の作用について説明する。
【００４５】
図４（ａ）〜（ｅ）は、本考案の実施例１である景品獲得装置１００における待機状態から景品を獲得した後、再度待機状態まで移行する一連の動作の流れを模式的に説明した図である。
【００４６】
図４（ａ）に示すように、遊技者は、操作部１０６の操作釦を操作することにより落下させようとする景品６に対してクレーン機構１０３を動作させ、景品取得部１１０が目標とする景品６に対応する係止ピン３の真上に到着したと思われるとき操作釦の操作を停止させる。
【００４７】
そうすると、図４（ｂ）に示すように、景品取得部１１０は自動的にＸ２方向に降下し、この景品取得部１１０のリング１１０ｃが、フック形状を有する係止部３ｂの上部に接触しながら、さらにＸ２方向に下降することにより、リング１１０ｃが係止部３ｂに係止される。
【００４８】
次に、図４（ｃ）に示すように、景品取得部１１０は、リング１１０ｃが係止部３ｂに係止された状態で、係止ピン３と固定ピン４とが自動的にＸ１方向に上昇し、この景品取得部１１０の上昇と共に、固定ピン４に接続された伸縮部材５が伸長する。
【００４９】
そして、貫通穴２ｂに挿入されていた係止ピン３の貫通棒３ａが貫通穴２ｂから脱離されると、係止ピン３の貫通棒３ａが貫通穴２ｂに挿入された状態で係止されていた景品６のリング６ｂが外れ、景品６は景品排出口１０４ａに落下し、景品排出口１０４ａから連通する景品受取口１０５ａに排出される。
【００５０】
また、係止ピン３の貫通棒３ａが貫通穴２ｂから脱離されると、図４（ｄ）に示すように、伸長された伸縮部材５の収縮力により景品台２に対して貫通棒３ａが傾く。
【００５１】
これにより、図４（ｄ）に示すように、リング１１０ｃと係止部３ｂとの係止が外れ、係止ピン３は、景品台２上に載置される。
【００５２】
以上のように、本考案の実施例１である景品獲得装置１００によれば、景品収納部１０１内で移動自在に吊り下げ支持され、先端にリング１１０ｃを有する景品取得部１１０と、景品収納部１０１内に設けられ、貫通穴２ｂが空けられた景品台２と、貫通穴２ｂに挿入される貫通棒３ａの一方の端部に、景品取得部１１０のリング１１０ｃと係止するための係止部３ｂが固定された係止ピン３と、係止ピン３の貫通棒３ａが貫通穴２ｂから脱離されると落下するように、係止ピン３の貫通棒３ａが貫通穴２ａに挿入された状態で係止された景品６とを備えるので、景品獲得の際、景品６の重量に関わらず、景品取得部１１０の吊力は一定となる。そのため、景品取得部１１０の調整を行うことなく、多種類の景品を景品収納部１０１内に配置することができる。
【００５３】
また、本考案の実施例１である景品獲得装置１００によれば、係止ピン３に一方の端部が固定された固定ピン４と、固定ピン４の他方の端部と景品台２とを接続する伸縮部材５とを備え、伸縮部材５の収縮力により景品台２に対して貫通棒３ａが傾くことで、リング１１０ｃと係止部３ｂとの係止が外れるように構成したので、提供者は、遊技者が次ゲームを開始することができるように、リング１１０ｃと係止部３ｂとの係止を外す必要がなく、また、係止ピン３と固定ピン４とが景品台２から落下することないので、係止ピン３と固定ピン４とを景品受取口１０５ａから排出せずに回収することができる。
【実施例２】
【００５４】
本考案の実施例１では、係止ピン３に一方の端部が固定された固定ピン４と、固定ピン４の他方の端部と景品台２とを接続する伸縮部材５とを備え、伸縮部材５の収縮力により景品台２に対して貫通棒３ａが傾くことで、リング１１０ｃと係止部３ｂとの係止が外れるように構成した景品獲得装置１００を例に挙げて説明した。
【００５５】
本考案の実施例２では、錘の重力により景品台２に対して貫通棒３ａが傾くことで、リング１１０ｃと係止部３ｂとの係止が外れるように構成した景品獲得装置１００Ａを例に挙げて説明する。
【００５６】
図５は、本考案の実施例２である景品獲得装置１００Ａが備える景品配置部１Ａの斜視図である。なお、本考案の実施例２である景品獲得装置１００Ａが備える構成のうち、本考案の実施例１である景品獲得装置１００が備える構成とそれぞれ同一の符号を付した構成については説明を省略する。
【００５７】
図５に示すように、本考案の実施例２である景品配置部１Ａは、本考案の実施例１である景品配置部１と同様に、景品収納部１０１のフロア部１０４上に景品台２が固定されている。
【００５８】
景品配置部１Ａが備える係止ピン３の貫通棒３ａには、荷重ピン７が固定されている。
【００５９】
荷重ピン７は、一方の端部が係止ピン３の貫通棒３ａに固定されており、他方の端部には、金属やゴム等の部材で構成された錘８が固定されている。
【００６０】
また、係止ピン３、荷重ピン７、又は錘８には、長尺状の紐状部材９の先端が接続され、この紐状部材９の他方の端部は、景品台２に固定されている。
【００６１】
＜景品獲得装置１００Ａの作用＞
次に、図６を用いて、本考案の実施例２である景品獲得装置１００Ａの作用について説明する。
【００６２】
図６（ａ）〜（ｅ）は、本考案の実施例２である景品獲得装置１００Ａにおける待機状態から景品を獲得した後、再度待機状態まで移行する一連の動作の流れを模式的に説明した図である。
【００６３】
図６（ａ）に示すように、遊技者は、操作部１０６の操作釦を操作することにより落下させようとする景品６に対してクレーン機構１０３を動作させ、景品取得部１１０が目標とする景品６に対応する係止ピン３の真上に到着したと思われるとき操作釦の操作を停止させる。
【００６４】
そうすると、図６（ｂ）に示すように、景品取得部１１０は自動的にＸ２方向に降下し、この景品取得部１１０のリング１１０ｃが、フック形状を有する係止部３ｂの上部に接触しながら、さらにＸ２方向に下降することにより、リング１１０ｃが係止部３ｂに係止される。
【００６５】
次に、図６（ｃ）に示すように、景品取得部１１０は、リング１１０ｃが係止部３ｂに係止された状態で、係止ピン３と荷重ピン７と錘８とがＸ１方向に上昇する。
【００６６】
そして、貫通穴２ｂに挿入されていた係止ピン３の貫通棒３ａが貫通穴２ｂから脱離されると、係止ピン３の貫通棒３ａが貫通穴２ｂに挿入された状態で係止されていた景品６のリング６ｂが外れ、景品６は景品排出口１０４ａに落下し、景品排出口１０４ａから連通する景品受取口１０５ａに排出される。
【００６７】
また、係止ピン３の貫通棒３ａが貫通穴２ｂから脱離されると、図６（ｄ）に示すように、荷重ピン７に固定された錘８の重力により景品台２に対して貫通棒３ａが傾き、リング１１０ｃと係止部３ｂとの係止が外れ、係止ピン３と荷重ピン７と錘８とが景品台２上に落下する。
【００６８】
景品台２上に落下した後、係止ピン３と荷重ピン７と錘８とが転がり、景品台２上から落下する場合もある。この場合にも、図６（ｅ）に示すように、景品台２に一方の端部が固定された紐状部材９により、景品排出口１０４ａに落下することを防止している。
【００６９】
以上のように、本考案の実施例２である景品獲得装置１００Ａによれば、係止ピン３に一方の端部が固定され、他方の端部に錘８が固定された荷重ピン７を備え、錘８の重力により景品台２に対して貫通棒３ａが傾くことで、リング１１０ｃと係止部３ｂとの係止が外れるように構成したので、本考案の実施例１である景品獲得装置１００と同様に、提供者は、遊技者が次ゲームを開始することができるように、リング１１０ｃと係止部３ｂとの係止を外す必要がなく、また、係止ピン３と荷重ピン７とが景品台２から落下することないので、係止ピン３と荷重ピン７と錘８とを景品受取口１０５ａから排出せずに回収することができる。
【実施例３】
【００７０】
本考案の実施例１では、１枚の板状部材に貫通穴２ａ〜２ｆが設けられた景品台２を備えた景品獲得装置１００を例に挙げて説明した。
【００７１】
本考案の実施例３では、２枚の板状部材に貫通穴２ａ〜２ｆが設けられた景品台２を備えた景品獲得装置１００Ｂを例に挙げて説明する。
【００７２】
図７は、本考案の実施例３である景品獲得装置１００Ｂにおける待機状態から景品を獲得した後、再度待機状態まで移行する一連の動作の流れを模式的に説明した図である。なお、本考案の実施例３である景品獲得装置１００Ｂが備える構成のうち、本考案の実施例１である景品獲得装置１００が備える構成とそれぞれ同一の符号を付した構成については説明を省略する。
【００７３】
図７（ａ）に示すように、本考案の実施例３である景品獲得装置１００Ｂは、板状部材２０及び板状部材２１が、所定の空隙を空けて固定された景品台２Ａを備えている。この板状部材２０及び板状部材２１には、本考案の実施例３である景品獲得装置１００が備える景品台２と同様に、それぞれ貫通穴２ａ〜２ｆが設けられている。
【００７４】
そして、係止ピン３の貫通棒３ａが下方の板状部材２１に設けられた貫通穴２ｂに挿入された状態で、景品６のリング６ｂが係止されている。
【００７５】
遊技者は、操作部１０６の操作釦を操作することにより落下させようとする景品６に対してクレーン機構１０３を動作させ、景品取得部１１０が目標とする景品６に対応する係止ピン３の真上に到着したと思われるとき操作釦の操作を停止させる。
【００７６】
そうすると、図７（ｂ）に示すように、景品取得部１１０は自動的にＸ２方向に降下し、この景品取得部１１０のリング１１０ｃが、フック形状を有する係止部３ｂの上部に接触しながら、さらにＸ２方向に下降することにより、リング１１０ｃが係止部３ｂに係止される。
【００７７】
次に、図７（ｃ）に示すように、景品取得部１１０は、リング１１０ｃが係止部３ｂに係止された状態で、係止ピン３と固定ピン４とが自動的にＸ１方向に上昇し、この景品取得部１１０の上昇と共に、固定ピン４に接続された伸縮部材５が伸長する。
【００７８】
そして、下方の板状部材２１に設けられた貫通穴２ｂに挿入されていた係止ピン３の貫通棒３ａが貫通穴２ｂから脱離されると、係止ピン３の貫通棒３ａが貫通穴２ｂに挿入された状態で係止されていた景品６のリング６ｂが外れ、景品６は景品排出口１０４ａに落下し、景品排出口１０４ａから連通する景品受取口１０５ａに排出される。
【００７９】
このように、本考案の実施例３では、２枚の板状部材に貫通穴２ａ〜２ｆが設けられた景品台２を備え、係止ピン３の貫通棒３ａが下方の板状部材２１に設けられた貫通穴２ｂに挿入された状態で、景品６のリング６ｂが係止されているので、景品取得部１１０は、Ｘ１方向に少し上昇するだけで、景品６は景品排出口１０４ａに落下する。
【００８０】
これにより、遊技者は、比較的簡単に景品６を獲得することができる。
【００８１】
なお、本考案の実施例３では、２枚の板状部材に貫通穴２ａ〜２ｆが設けられた景品台２を備えた景品獲得装置１００Ｂを例に挙げて説明したが、下方に備えられた板状部材２１は、一枚として成型されている必要はない。例えば、板状部材２０の下方であり、貫通穴に対応する位置のみに、それぞれ板状部材を備える構成としてもよい。これにより、一枚として成型された場合に比べて、景品６を様々な位置に吊り下げることができる。
【実施例４】
【００８２】
本考案の実施例１では、貫通穴２ｂに挿入される貫通棒３ａと、貫通棒３ａの上端部には、フック形状を有する係止部３ｂが固定された係止ピン３を備えた景品獲得装置１００を例に挙げて説明した。
【００８３】
本考案の実施例４では、更に、景品獲得ゲームの難易度を調整するための調整部材が取り付けられた係止ピンを備えた景品獲得装置１００Ｃを例に挙げて説明する。
【００８４】
図８は、本考案の実施例４である景品獲得装置１００Ｃが備える景品配置部１Ｃの側面図である。なお、本考案の実施例４である景品獲得装置１００Ｃが備える構成のうち、本考案の実施例１である景品獲得装置１００が備える構成とそれぞれ同一の符号を付した構成については説明を省略する。
【００８５】
図８に示すように、係止ピン３には、係止部３ｂのフック形状の開口部の大きさを調整できるように、貫通棒３ａにスライド自在に調整部材１０が取り付けられている。
【００８６】
具体的には、調整部材１０をＹ１方向にスライドさせることにより、係止部３ｂのフック形状の開口部が狭くなるので、遊技者は、操作部１０６の操作釦を操作してリング１１０ｃが係止部３ｂに係止することが困難になる。一方、調整部材１０をＹ２方向にスライドさせることにより、係止部３ｂのフック形状の開口部が広くなるので、遊技者は、操作部１０６の操作釦を操作してリング１１０ｃが係止部３ｂに係止することが容易にある。
【００８７】
このように、本考案の実施例４である景品獲得装置１００Ｃによれば、景品獲得ゲームの難易度を調整することができる。
【００８８】
また、景品獲得ゲームの難易度は、フック形状の開口部の大きさに限らない。例えば、係止部３ｂの大きさ、フック形状の深さ、フック形状頭部の形状や、リング１１０ｃの大きさ等により調整することもできる。
【００８９】
また、本考案の実施例１〜４である景品獲得装置１００〜１００Ｃでは、貫通穴２ｂに挿入されていた係止ピン３の貫通棒３ａが貫通穴２ｂから脱離されると、係止ピン３の貫通棒３ａが貫通穴２ｂに挿入された状態で係止されていた景品６のリング６ｂが外れ、景品６は景品排出口１０４ａに落下し、景品排出口１０４ａから連通する景品受取口１０５ａに排出されたが、これに限らず、景品６を、景品収納部１０１の透明板の手前で吊り下げるようにしてもよい。
【００９０】
例えば、長尺状の紐状部材の一方の端部をリング６ｂに接続し、景品収納部１０１内に配置された滑車を用いて紐状部材の他方の端部に接続された景品本体６ａを景品収納部１０１の透明板の手前で吊り下げる。
【００９１】
これにより、遊技者は、遊戯中、目の前で景品６が落下し、この落下した景品６を獲得できるので、遊技者にとって景品獲得の喜びが倍増するという効果がある。
【実施例５】
【００９２】
本考案の実施例１では、景品を景品収納部１０１内に吊り下げ配置し、遊技者の操作に基づいて、景品収納部１０１内に配置された景品を景品排出口１０４ａから排出する景品獲得装置１００を例に挙げて説明した。
【００９３】
本考案の実施例５では、景品が載置された景品搬送車がレール上に置かれ、遊技者の操作に基づいて、景品を景品排出口１０４ａから排出する景品獲得装置１００Ｄを例に挙げて説明する。
【００９４】
図９は、本考案の実施例５である景品獲得装置１００Ｄが備える景品配置部１Ｄの斜視図である。なお、本考案の実施例５である景品獲得装置１００Ｄが備える構成のうち、本考案の実施例１である景品獲得装置１００が備える構成とそれぞれ同一の符号を付した構成については説明を省略する。
【００９５】
図９に示すように、本考案の実施例５である景品配置部１Ｄは、景品収納部１０１のフロア部１０４上に景品台２Ｄが固定されている。
【００９６】
景品台２Ｄは、一方の端部の近傍に貫通穴２ｂが空けられ、他方の端部が景品排出口１０４ａの上方に位置するように設けられたレール１１を備えている。このレール１１は、景品排出口１０４ａの上方に位置する他方の端部が景品排出口１０４ａに向かって湾曲するように成型されており、他方の端部が一方の端部より低い位置となるように傾斜して配置されている。
【００９７】
このレール１１には、景品搬送車１５がその重力によりレール１１上の一方の端部から他方の端部まで移動する際、その移動を案内するガイド板１１ａと、景品搬送車１５が他方の端部に達したときに、景品搬送車１５が景品排出口１０４ａに落下しないように、景品搬送車１５を磁力により保持するための磁石１１ｂとが備えられている。景品搬送車１５の下部には、磁石１１ｂの磁力により引き寄せられる磁性体又は磁石が固定されている。
【００９８】
そして、貫通穴２ｂには、係止ピン３が挿入されている。貫通穴２ｂに挿入された係止ピン３は、レール１１上に載置された景品搬送車１５が、レール１１上を他方の端部まで移動することを妨げている。
【００９９】
＜景品獲得装置１００Ｄの作用＞
次に、図１０を用いて、本考案の実施例５である景品獲得装置１００Ｄの作用について説明する。
【０１００】
図１０（ａ）〜（ｄ）は、本考案の実施例５である景品獲得装置１００Ｄにおける待機状態から景品を獲得した後、再度待機状態まで移行する一連の動作の流れを模式的に説明した図である。
【０１０１】
図１０（ａ）に示すように、遊技者は、操作部１０６の操作釦を操作することにより落下させようとする景品６に対してクレーン機構１０３を動作させ、景品取得部１１０が目標とする景品６に対応する係止ピン３の真上に到着したと思われるとき操作釦の操作を停止させる。
【０１０２】
そうすると、図１０（ｂ）に示すように、景品取得部１１０は自動的にＸ２方向に降下し、この景品取得部１１０のリング１１０ｃが、フック形状を有する係止部３ｂの上部に接触しながら、さらにＸ２方向に下降することにより、リング１１０ｃが係止部３ｂに係止される。
【０１０３】
次に、景品取得部１１０は、リング１１０ｃが係止部３ｂに係止された状態で、係止ピン３がＸ１方向に上昇する。
【０１０４】
そして、図１０（ｃ）に示すように、貫通穴２ｂに挿入されていた係止ピン３の貫通棒３ａが貫通穴２ｂから脱離されると、景品搬送車１５は、その重力により傾斜したレール１１上の一方の端部から他方の端部まで、即ちＺ１方向へ向かって走行する。
【０１０５】
また、係止ピン３の貫通棒３ａが貫通穴２ｂから脱離されると、伸長された伸縮部材５の収縮力により景品台２に対して貫通棒３ａが傾き、リング１１０ｃと係止部３ｂとの係止が外れ、係止ピン３は、景品台２Ｄ上に載置される。
【０１０６】
そして、図１０（ｄ）に示すように、Ｚ１方向へ向かって走行した景品搬送車１５は、レール１１の他方の端部に達したときに、レール１１上に配置された磁石１１ｂに接触することにより傾いた状態で停止する。これにより、景品搬送車１５に載置された景品６が景品排出口１０４ａへ落下する。景品排出口１０４ａへ落下した景品６は、景品排出口１０４ａから連通する景品受取口１０５ａに排出される。
【０１０７】
以上のように、本考案の実施例５である景品獲得装置１００Ｄによれば、景品６が載置された状態で係止ピン３の貫通棒３ａが貫通穴２ｂから脱離されると、景品搬送車１５が、レール１１上の一方の端部から他方の端部まで移動し、他方の端部に達したときに景品６を景品排出口１０４ａへ落下させるので、本考案の実施例１である景品獲得装置１００の効果に加え、景品６が景品排出口１０４ａに落下するまでを効果的に演出することができ、遊技者にとって景品獲得の喜びが倍増するという効果を奏する。
【実施例６】
【０１０８】
本考案の実施例１では、景品を景品収納部１０１内に吊り下げ配置し、遊技者の操作に基づいて、景品収納部１０１内に配置された景品を景品排出口１０４ａから排出する景品獲得装置１００を例に挙げて説明した。
【０１０９】
本考案の実施例６では、景品収納部１０１内に一辺が回動自在に取り付けられた景品載置台上に景品が載置され、遊技者の操作に基づいて、景品を景品排出口１０４ａから排出する景品獲得装置１００Ｅを例に挙げて説明する。
【０１１０】
図１１（ａ）〜（ｃ）は、本考案の実施例６である景品獲得装置１００Ｅにおける待機状態から景品を獲得した後、再度待機状態まで移行する一連の動作の流れを模式的に説明した図である。なお、本考案の実施例６である景品獲得装置１００Ｅが備える構成のうち、本考案の実施例１である景品獲得装置１００が備える構成とそれぞれ同一の符号を付した構成については説明を省略する。
【０１１１】
図１１（ａ）に示すように、本考案の実施例６である景品獲得装置１００Ｅは、景品収納部１０１内に景品載置台１２を備えており、景品収納部１０１内で景品載置台１２と景品台２とが略同一高さになるように、景品載置台１２の辺１２ａは、景品収納部１０１内の壁面に回動自在に取り付けられている。景品載置台１２上には、景品６が載置されている。
【０１１２】
また、景品載置台１２の辺１２ａに対向する辺には、景品載置紐１３が固定されている。景品載置紐１３は、他方の端部にリング１４を備えており、係止ピン３の貫通棒３ａが貫通穴２ｂに挿入された状態でリング１４が貫通棒３ａに係止されている。これにより、景品６が載置された景品６が落下しないように、景品載置台１２を略水平に保持する。
【０１１３】
遊技者は、操作部１０６の操作釦を操作することにより落下させようとする景品６に対してクレーン機構１０３を動作させ、景品取得部１１０が目標とする景品６に対応する係止ピン３の真上に到着したと思われるとき操作釦の操作を停止させる。
【０１１４】
そうすると、景品取得部１１０は自動的にＸ２方向に降下し、この景品取得部１１０のリング１１０ｃが、フック形状を有する係止部３ｂの上部に接触しながら、さらにＸ２方向に下降することにより、リング１１０ｃが係止部３ｂに係止される。
【０１１５】
次に、景品取得部１１０は、リング１１０ｃが係止部３ｂに係止された状態で、係止ピン３と固定ピン４とが自動的にＸ１方向に上昇し、この景品取得部１１０の上昇と共に、固定ピン４に接続された伸縮部材５が伸長する。
【０１１６】
そして、図１１（ｂ）に示すように、貫通穴２ｂに挿入されていた係止ピン３の貫通棒３ａが貫通穴２ｂから脱離されると、係止ピン３の貫通棒３ａが貫通穴２ｂに挿入された状態で係止されていたリング１４が外れる。
【０１１７】
これにより、図１１（ｃ）に示すように、景品載置台１２が傾倒し、景品載置台１２上に載置された景品６が景品排出口１０４ａに落下し、景品排出口１０４ａから連通する景品受取口１０５ａに排出される。
【０１１８】
以上のように、本考案の実施例６である景品獲得装置１００Ｅによれば、景品６が載置され、景品収納部１０１内で景品台２と略同一高さになるように一辺が回動自在に取り付けられた景品載置台１２と、一方の端部が景品載置台１２に固定されると共に、他方の端部にリング１４が取り付けられ、係止ピン３の貫通棒３ａが貫通穴２ｂに挿入された状態でリング１４が貫通棒３ａに係止されることにより、景品載置台１２を略水平に保持する長尺状の景品載置紐１３とを備えるので、本考案の実施例１である景品獲得装置１００の効果に加え、景品６が景品排出口１０４ａに落下するまでを効果的に演出することができ、遊技者にとって景品獲得の喜びが倍増するという効果を奏する。
【０１１９】
なお、本考案の実施例１〜６である景品獲得装置１００〜１００Ｅでは、フック形状を有する係止部３ｂが固定された係止ピン３と、リング１１０ｃを有する景品取得部１１０とを備える構成としたが、これに限らない。
【０１２０】
具体的には、リング形状を有する係止部が固定された係止ピンと、フックを有する景品取得部とを備える構成としてもよい。即ち、係止ピンと景品取得部１１０とが係止するような形状を有していればよい。
【符号の説明】
【０１２１】
１，１Ａ，１Ｃ，１Ｄ，１Ｅ…景品配置部
２，２Ａ，２Ｄ…景品台
２ａ〜２ｆ…貫通穴
３…係止ピン
３ａ…貫通棒
３ｂ…係止部
４…固定ピン
５…伸縮部材
６…景品
６ａ…景品本体
６ｂ…リング
７…荷重ピン
８…錘
９…紐状部材
１０…調整部材
１１…レール
１２…景品載置台
１３…景品載置紐
１４…リング
１５…景品搬送車（景品搬送手段）
２０，２１…板状部材
１００，１００Ａ，１００Ｂ，１００Ｃ，１００Ｄ，１００Ｅ…景品獲得装置
１０１…景品収納部
１０３…クレーン機構
１０４…フロア部
１０４ａ，１０４ｂ…景品排出口
１０５ａ，１０５ｂ…景品受取口
１０６…操作部
１１０，１１１…景品取得部
１１０ａ…キャッチャー
１１０ｂ…支持チェーン
１１０ｃ…リング
【図１】
0003163757.tif 000003
【図２】
0003163757.tif 000004
【図３】
0003163757.tif 000005
【図４】
0003163757.tif 000006
【図５】
0003163757.tif 000007
【図６】
0003163757.tif 000008
【図７】
0003163757.tif 000009
【図８】
0003163757.tif 000010
【図９】
0003163757.tif 000011
【図１０】
0003163757.tif 000012
【図１１】
0003163757.tif 000013